(57)【要約】  使用寿命の短縮を抑制する。  媒体処理装置は、媒体（１）に設けられた帯状の磁気ストライプ（１ａ）に対して、長手方向及び短手方向に相対的に摺動して磁気ストライプ（１ａ）内情報の読み出し及び書き込み処理を行う磁気ヘッド（１ｂ）を有する。このような磁気ヘッド（１ｂ）が磁気ストライプ（１ａ）を摺動すると、磁気ヘッド（１ｂ）の処理面（１ｃ）の全面が磁気ストライプ（１ａ）に摩擦されるようになり、処理面（１ｃ）の全面が略均等に磨耗するようになる。したがって、磁気ヘッド（１ｂ）の処理面（１ｃ）の偏った磨耗が防止されて、磁気ヘッド（１ｂ）の使用寿命の短縮が抑制される。
2011117991.tif 000002
【特許請求の範囲】
【請求項１】
帯状の磁気ストライプ付媒体に対して前記帯状の磁気ストライプ内情報の読み出し及び書き込みを実行する媒体処理装置において、
前記媒体に設けられた前記帯状の磁気ストライプに対して、長手方向及び短手方向に相対的に摺動して前記磁気ストライプ内情報の読み出し及び書き込みを行う磁気ヘッドと、
を有することを特徴とする媒体処理装置。
【請求項２】
前記磁気ヘッドは、前記帯状の磁気ストライプの長手方向に対して所定角度傾斜した方向に摺動することを特徴とする請求の範囲第１項記載の媒体処理装置。
【請求項３】
前記媒体を搬送する搬送手段をさらに有し、
前記磁気ヘッドが前記帯状の磁気ストライプに対して長手方向に摺動すると共に、前記搬送手段が前記媒体を前記帯状の磁気ストライプに対して短手方向に搬送する、
ことを特徴とする請求の範囲第１項記載の媒体処理装置。
【請求項４】
前記帯状の磁気ストライプ内情報の読み出し及び書き込み処理を実行する前記磁気ヘッド処理面の幅は、前記帯状の磁気ストライプの短手方向の幅よりも広いことを特徴とする請求の範囲第１項記載の媒体処理装置。
【請求項５】
帯状の磁気ストライプ付媒体に対して前記帯状の磁気ストライプ内情報の読み出し及び書き込みを実行する媒体処理方法において、
磁気ヘッドが、前記媒体に設けられた前記帯状の磁気ストライプに対して長手方向及び短手方向に相対的に摺動して前記磁気ストライプ内情報の読み出し及び書き込みを行う、
ことを特徴とする媒体処理方法。
【発明の詳細な説明】
【技術分野】
【０００１】
本発明は、媒体処理装置及び媒体処理方法に関する。
【背景技術】
【０００２】
金融機関等では、ユーザがセットした通帳またはキャッシュカード等の媒体を受け入れ、ユーザの操作入力に基づき、所定金額の入出金、送金等の取引処理を実行する自動処理装置が設置されている。自動処理装置としては、例えば、現金自動預け払い装置（Automated Teller Machine：ＡＴＭ）等が利用されている。また、媒体には、取引内容・履歴等を書き込み及び読み出すための磁気ストライプが設けられている。自動処理装置には、磁気ストライプに対するこのような磁気処理を実行する媒体処理装置が内蔵されている（例えば、特許文献１を参照）。【０００３】
また、ユーザの仕様に応じて、磁気ストライプが取り付けられた媒体には様々なタイプが用意されている。以下では、媒体として通帳の場合を例に挙げて、様々な磁気ストライプに対する読み書き処理の実行について説明する。【０００４】
図８は、通帳に設けられた、幅が磁気ヘッドよりも広い磁気ストライプ及び当該磁気ストライプに対する磁気ヘッドの動作を説明するための図である。
なお、図８（Ａ）は開かれた状態の通帳１００の表紙側の平面図、（Ｂ）は、磁気ストライプ１０２の短手方向に対して垂直に見た磁気ストライプ１０２及び磁気ストライプ１０２上の磁気ヘッド１０３の断面図、（Ｃ）は、磁気ストライプ１０２上を繰り返し摺動した磁気ヘッド１０３の断面図である。また、図８（Ｃ）の波線は磁気ヘッド１０３の磨耗領域を示している。【０００５】
通帳１００は、図示しない中紙が表表紙１０１ａ及び裏表紙１０１ｂで綴じられており、表表紙１０１ａには帯状の磁気ストライプ１０２が、図８（Ａ）に示されるように、長手方向と表表紙１０１ａの短手方向とが平行になるように取り付けられている。【０００６】
このような通帳１００が、中紙の所定頁が開かれた状態で、媒体処理装置（図示を省略）に挿入されると、図８（Ａ）に示されるように、磁気ストライプ１０２が磁気ヘッド１０３に重なる位置まで搬送されて固定される。この時、磁気ヘッド１０３は、磁気ヘッド１０３の幅（磁気ストライプ１０２の短手方向）が磁気ストライプ１０２の幅よりも狭いために、図８（Ｂ）に示されるような状態で磁気ストライプ１０２上に配置される。この状態で、図８（Ａ）中、上下方向に摺動して、磁気ストライプ１０２に対して読み書き処理が実行される。【０００７】
磁気ストライプ１０２に対して磁気ヘッド１０３の摺動が繰り返し行われると、磁気ヘッド１０３の読み書き処理を行う処理面が磨耗してしまう。但し、磁気ヘッド１０３の幅が磁気ストライプ１０２よりも狭いため、図８（Ｃ）に示されるように、磁気ヘッド１０３の処理面全体が略均等に磨耗する。【０００８】
次に、磁気ストライプが設置された別のタイプの通帳に対する磁気ヘッドの動作ついて説明する。
図９は、通帳に設けられた、幅が磁気ヘッドと等しい磁気ストライプ及び当該磁気ストライプに対する磁気ヘッドの動作を説明するための図である。【０００９】
なお、図９（Ａ）〜図９（Ｃ）は、図８（Ａ）〜図８（Ｃ）と同様に、通帳１１０の平面図、磁気ストライプ１１２及び磁気ヘッド１１３の断面図をそれぞれ示している。
通帳１１０は、図示しない中紙が表表紙１１１ａ及び裏表紙１１１ｂで綴じられており、表表紙１１１ａには帯状の磁気ストライプ１１２が、図９（Ａ）に示されるように、長手方向と表表紙１１１ａの長手方向とが平行になるように取り付けられている。【００１０】
このような通帳１１０が、上記と同様に、磁気ストライプ１１２が磁気ヘッド１１３に重なる位置まで搬送されて固定される（図９（Ａ））。
また、通帳１１０の磁気ストライプ１１２と磁気ヘッド１１３との幅は略等しいために、磁気ヘッド１１３は、図９（Ｂ）に示されるような状態で磁気ストライプ１１２上を、図９（Ａ）中、左右方向に摺動する。【００１１】
このように磁気ストライプ１１２に対して磁気ヘッド１１３が繰り返し摺動すると、磁気ヘッド１１３の処理面側が磨耗してしまう。この場合、図９（Ｃ）に示されるように、磁気ヘッド１１３の処理面全体が略均等に磨耗する。【００１２】
なお、上記のように、磁気ヘッド１０３，１１３は、処理面全体が所定量以上磨耗してしまうと、磁気ストライプ１０２，１１２に対する読み書き処理にエラーが発生してしまう。このため、磁気ヘッド１０３，１１３は、このような状態になってしまうと新しい磁気ヘッドに交換しなくてはならない。
【先行技術文献】
【特許文献】
【００１３】
【特許文献１】特開２００７−９５１１３号公報
【発明の概要】
【発明が解決しようとする課題】
【００１４】
しかし、磁気ヘッドの処理面が磁気ストライプに対して偏って接触した状態で摺動する場合には、次のような問題点があった。
図１０は、通帳に設けられた、幅が磁気ヘッドよりも狭い磁気ストライプ及び当該磁気ストライプに対する磁気ヘッドの動作を説明するための図である。【００１５】
なお、図１０（Ａ）〜図１０（Ｃ）は、図８及び図９の（Ａ）〜（Ｃ）と同様に、通帳１２０の平面図、磁気ストライプ１２２及び磁気ヘッド１２３の断面図をそれぞれ示している。さらに、図１０（Ｄ）は、磁気ストライプ１２２上を摺動する、処理面が磨耗した磁気ヘッド１２３の断面図である。【００１６】
また、磁気ヘッド１２３の幅を磁気ストライプ１２２よりも広くして、磁気ヘッド１２３の磁気ストライプ１２２の短手方向に対するゆとりを持たせている。これにより、外的衝撃等によって磁気ヘッド１２３が磁気ストライプ１２２の短手方向に揺れた場合でも、磁気ストライプ１２２に対する読み書き処理を実行することが可能となる。【００１７】
通帳１２０は、上記図８及び図９と同様に、表表紙１２１ａ及び裏表紙１２１ｂで綴じられており、表表紙１２１ａには帯状の磁気ストライプ１２２が、図１０（Ａ）に示されるように、長手方向と表表紙１２１ａの長手方向とが平行になるように取り付けられ、磁気ストライプ１２２が磁気ヘッド１２３に重なる位置まで搬送されて固定される。【００１８】
また、通帳１２０の磁気ストライプ１２２は磁気ヘッド１２３よりも幅が狭いために、図１０（Ｂ）に示されるように、磁気ヘッド１２３の処理面の中央部分のみが磁気ストライプ１２２と接触する。この状態で磁気ストライプ１２２上を、図１０（Ａ）中、左右方向に摺動する。【００１９】
磁気ストライプ１２２に対して磁気ヘッド１２３が繰り返し摺動すると、図１０（Ｃ）に示されるように、磁気ヘッド１２３の処理面の中央部分がコ字状に磨耗してしまう。
このような状態に磨耗した磁気ヘッド１２３が磁気ストライプ１２２を摺動すると、図１０（Ｄ）に示されるように、磁気ヘッド１２３の処理面と、磁気ストライプ１２２との接触領域が図１０（Ｂ）と比較して減少してしまう。このため、磁気ストライプ１２２に対する読み書き処理にエラーが生じてしまうだけでなく、磁気ヘッド１０３，１１３のように処理面全体が均一に磨耗する場合と比較すると、接触領域が偏った状態で磨耗することで読み書き処理のエラーが早期に発生するようになる。このため、磁気ヘッド１２３の使用寿命が短くなってしまうという問題点があった。【００２０】
また、図８及び図９の場合でも、何らかの原因により、磁気ヘッド１０３，１１３が磁気ストライプ１０２，１１２に対して、例えば、磁気ストライプ１０２，１１２の短手方向にずれてしまった状態で繰り返し摺動が行われた場合でも上記のような問題が生じてしまう。【００２１】
本発明はこのような点に鑑みてなされたものであり、使用寿命の短縮が抑制された媒体処理装置及び媒体処理方法に関する。
【課題を解決するための手段】
【００２２】
上記目的を達成するために、媒体に設けられた帯状の磁気ストライプに対して、長手方向及び短手方向に相対的に摺動して磁気ストライプ内情報の読み出し及び書き込みを行う磁気ヘッドを有する媒体処理装置が提供される。【００２３】
また、上記目的を達成するために上記の媒体処理装置と同様の方法が行われる媒体処理方法が提供される。
【発明の効果】
【００２４】
上記の媒体処理装置及び媒体処理方法によれば、使用寿命の短縮を抑制することができる。
本発明の上記及び他の目的、特徴および利点は本発明の例として好ましい実施の形態を表す添付の図面と関連した以下の説明により明らかになるであろう。
【図面の簡単な説明】
【００２５】
【図１】第１の実施の形態に係る媒体に取り付けられた磁気ストライプに対する磁気ヘッドの読み書き処理の動作を説明するための図である。
【図２】第２の実施の形態に係る自動処理装置の斜視図である。
【図３】第２の実施の形態に係る媒体処理装置の構成を説明するための図である。
【図４】第２の実施の形態に係る媒体処理装置の磁気ヘッドの動作を説明するための図（その１）である。
【図５】第２の実施の形態に係る媒体処理装置の磁気ヘッドの動作を説明するための図（その２）である。
【図６】第３の実施の形態に係る媒体処理装置の磁気ヘッドの動作を説明するための図（その１）である。
【図７】第３の実施の形態に係る媒体処理装置の磁気ヘッドの動作を説明するための図（その２）である。
【図８】通帳に設けられた、幅が磁気ヘッドよりも広い磁気ストライプ及び当該磁気ストライプに対する磁気ヘッドの動作を説明するための図である。
【図９】通帳に設けられた、幅が磁気ヘッドと等しい磁気ストライプ及び当該磁気ストライプに対する磁気ヘッドの動作を説明するための図である。
【図１０】通帳に設けられた、幅が磁気ヘッドよりも狭い磁気ストライプ及び当該磁気ストライプに対する磁気ヘッドの動作を説明するための図である。
【発明を実施するための形態】
【００２６】
以下、実施の形態を図面を参照して詳細に説明する。
［第１の実施の形態］
図１は、第１の実施の形態に係る媒体に取り付けられた磁気ストライプに対する磁気ヘッドの読み書き処理の動作を説明するための図である。
【００２７】
なお、図１（Ａ）は、磁気ストライプ１ａに対する磁気ヘッド１ｂの読み書き処理の動作を示している。さらに、図１（Ａ）は、図面左右方向をｘ方向、図面上下方向をｙ方向とし、矢印Ａは磁気ヘッド１ｂの（ｂ）の位置から（ｄ）の位置への移動方向を表している。また、図１（Ｂ）〜図１（Ｄ）は、図１（Ａ）の（ｂ）〜（ｄ）の位置にある磁気ヘッド１ｂ及び磁気ストライプ１ａのｘ方向に見た場合の断面図である。
【００２８】
通帳等の媒体１には、読み書き可能な帯状の磁気ストライプ１ａが取り付けられている。磁気ストライプ１ａは、磁気データ１ａ１が記録されており、磁気ストライプ１ａの幅（短手方向：ｙ方向）は、磁気ヘッド１ｂの幅（ｙ方向）よりも狭い。磁気ヘッド１ｂは、磁気ストライプ１ａ上を摺動して磁気データ１ａ１の読み書き処理（磁気処理）を実行する。このような処理を行う磁気ヘッド１ｂの処理面１ｃには、磁気ストライプ１ａに記録された磁気データ１ａ１を読み取るリードコア１ｂ１と、磁気ストライプ１ａに磁気データ１ａ１を書き込むライトコア１ｂ２が設置されている。なお、図１（Ａ）にはリードコア１ｂ１及びライトコア１ｂ２の処理面１ｃに対する配置位置を記載している。
【００２９】
このような媒体１は、媒体処理装置（図示を省略）の挿入口から挿入されると、磁気ストライプ１ａの、例えば、図１（Ａ）の（ｂ）の位置に磁気ヘッド１ｂがセットされる位置まで搬送されて固定される。
【００３０】
このように固定された媒体１の磁気ストライプ１ａに対して、磁気ヘッド１ｂは長手方向（ｘ方向）と共に短手方向（ｙ方向）に相対的に摺動して磁気処理を行う。具体例として、図１（Ａ）では、磁気ヘッド１ｂは、図１（Ａ）の（ｂ）の位置から矢印Ａに沿って、（ｄ）の位置まで摺動する。
【００３１】
磁気ヘッド１ｂが矢印Ａに沿って摺動すると共に、磁気ヘッド１ｂのリードコア１ｂ１は、矢印Ｂに沿って、磁気ストライプ１ａに記録された磁気データ１ａ１を読み取りながら（ｄ）の位置まで移動する。なお、ライトコア１ｂ２による書き込みも同様に移動しながら実行される。
【００３２】
このように磁気処理を実行する磁気ヘッド１ｂが摺動する際の磁気ストライプ１ａとの摩擦による磁気ヘッド１ｂの磨耗について説明する。
まず、磁気ヘッド１ｂが（ｂ）に位置する場合には、磁気ヘッド１ｂは、処理面１ｃの一方の短辺が磁気ストライプ１ａの一方の長辺と一致して、磁気ストライプ１ａに接触している（図１（Ｂ））。
【００３３】
この状態から磁気ヘッド１ｂは、磁気ストライプ１ａに対して長手方向と共に短手方向に相対的に（図１（Ａ）では、矢印Ａ方向に）摺動を開始する。
磁気ヘッド１ｂが（ｃ）の位置を摺動する場合には、磁気ヘッド１ｂの処理面１ｃの略中央部分の領域が磁気ストライプ１ａに接触している（図１（Ｃ））。
【００３４】
最終的に、磁気ヘッド１ｂが（ｄ）の位置まで移動すると、磁気ヘッド１ｂは、処理面１ｃの他方の短辺が磁気ストライプ１ａの他方の長辺に一致して、磁気ストライプ１ａに接触している（図１（Ｄ））。
【００３５】
このように磁気ヘッド１ｂが磁気ストライプ１ａに対して長手方向（ｘ方向）と共に短手方向（ｙ方向）に相対的に摺動することにより、磁気ヘッド１ｂは、処理面１ｃの全面が磁気ストライプ１ａと摩擦されて略均等に磨耗する。これにより、磁気ヘッド１ｂの処理面１ｃの磨耗の偏りによる磁気ストライプ１ａに対する接触領域の減少が防止されて、磁気ストライプ１ａの磁気処理のエラーの発生時期が遅延して、磁気ヘッド１ｂの使用寿命の短縮を抑制することができるようになる。
【００３６】
なお、上記では、磁気ヘッド１ｂが矢印Ａに沿って斜め方向に摺動する場合について説明した。この他にも、磁気ヘッド１ｂを磁気ストライプ１ａに対して長手方向（ｘ方向）と共に短手方向（ｙ方向）に相対的に摺動させるために、例えば、磁気ヘッド１ｂを磁気ストライプ１ａに対して長手方向に摺動させながら、媒体１を短手方向に移動させるようにしても上記と同様の効果が得られる。
【００３７】
［第２の実施の形態］
次に、媒体として通帳を適用した場合について具体的に説明する。なお、以下で説明する媒体としては、図１０で説明した通帳１２０を用いる。したがって、後述する磁気ヘッド２５の幅は通帳１２０の磁気ストライプ１２２よりも広い。なお、通帳１２０の磁気ストライプ１２２は、例えば、長辺の長さが１４０ｍｍ程度であって、短辺の長さは６ｍｍ程度である。また、磁気ヘッド２５は長辺が１０ｍｍ程度、短辺が８ｍｍ程度、高さが１０ｍｍ程度である。
【００３８】
図２は、第２の実施の形態に係る自動処理装置の斜視図である。
ＡＴＭ等の自動処理装置１０は、通帳挿入／排出口１１、硬貨挿入／放出口１２、カード挿入／排出口１３、紙幣挿入／放出口１４及びタッチパネル１５が外装されている。
【００３９】
通帳挿入／排出口１１及びカード挿入／排出口１３は、ユーザによって通帳及びキャッシュカードがそれぞれ挿入され、また、自動処理装置１０の内部で所定の処理が実行されると、通帳及びキャッシュカードがそれぞれ排出される。なお、通帳挿入／排出口１１の先には後述する媒体処理装置２０が内蔵されている。
【００４０】
硬貨挿入／放出口１２及び紙幣挿入／放出口１４は、ユーザの操作入力に応じて、硬貨及び紙幣がそれぞれ挿入され、また、自動処理装置１０の内部で所定の処理が実行されて搬送された硬貨及び紙幣がそれぞれ放出される。
【００４１】
タッチパネル１５は、ユーザからの操作入力を受け付けて、自動処理装置１０は当該操作入力に応じた処理を実行し、また、所定処理の結果を表示することができる。
次に、通帳挿入／排出口１１から挿入された通帳１２０の磁気ストライプ１２２に対してデータの読み書き処理を実行する媒体処理装置について説明する。
【００４２】
図３は、第２の実施の形態に係る媒体処理装置の構成を説明するための図である。
自動処理装置１０に内蔵された媒体処理装置２０は通帳挿入／排出口１１から受け付けた通帳の磁気ストライプに対して、長手方向及び短手方向に相対的に磁気ヘッドを摺動させて、磁気ヘッドの処理面の全面を略均等に磨耗させることができるものである。
【００４３】
このような媒体処理装置２０は、図３に示されるように、通帳挿入／排出口１１に対して挿入・排出される通帳１２０の磁気ストライプ１２２にデータの読み書きの磁気処理を実行する処理機構２０ａを備えている。当該処理機構２０ａに対して、計測手段２０ｂ、磁気ヘッド制御手段２０ｃ、搬送制御手段２０ｄ、印字制御手段２０ｅ、アンプ２０ｆが接続されている。また、磁気ヘッド制御手段２０ｃ、搬送制御手段２０ｄ及び印字制御手段２０ｅは、計測手段２０ｂ及びアンプ２０ｆからの信号等に基づいて制御手段２０ｇにより制御される。
【００４４】
処理機構２０ａは、図３に示されるように、通帳挿入／排出口１１に通じる搬送路２１に対して、まず、通帳挿入／排出口１１に対して挿入・排出される通帳１２０を検知する通帳検知部２２が通帳挿入／排出口１１近傍に設けられている。また、通帳検知部２２の検知信号に基づいて計測手段２０ｂが、挿入・排出された通帳１２０の長さを計測する。
【００４５】
そして、処理機構２０ａには、通帳挿入／排出口１１から挿入された通帳１２０を搬送路２１の所定位置まで搬送し、また、通帳挿入／排出口１１から通帳１２０を排出するための搬送ローラ２３ａ，２４ａ、及び、搬送ローラ２３ａ，２４ａを軸支するシャフト２３ｂ，２４ｂが設けられている。また、シャフト２３ｂを回転させる搬送駆動モータ２３ｃ、シャフト２３ｂ，２４ｂにそれぞれ軸支されたプーリ２３ｄ，２４ｄ、プーリ２３ｄ，２４ｄに巻きかけられて、搬送駆動モータ２３ｃの動力をシャフト２４ｂに伝動する搬送ベルト２４ｅが設けられている。なお、搬送駆動モータ２３ｃは搬送制御手段２０ｄからの制御信号に応じて、通帳１２０の搬入方向（図３右方向）、排出方向（図３左方向）並びに搬送速度が制御されて回転する。
【００４６】
さらに、搬送路２１上の所定位置に搬送されて固定された通帳１２０の磁気ストライプ１２２に対してデータの磁気処理を実行する磁気ヘッド２５、磁気ヘッド２５が搭載されたキャリッジ２６が設けられている。なお、磁気ヘッド２５の処理面には、磁気ストライプ１２２に記録された磁気データを読み取るリードコア（図示を省略）と、磁気ストライプ１２２に磁気データを書き込むライトコア（図示を省略）が設置されている（図１（Ａ）を参照）。また、キャリッジ２６が螺入されており、回転することによりキャリッジ２６を図３中、上下方向の所定位置に移動させるスクリューシャフト２７ａ、キャリッジ２６が滑動自在に嵌合されており、スクリューシャフト２７ａによるキャリッジ２６の移動をガイドするガイドシャフト２７ｂ、スクリューシャフト２７ａを回転させて磁気ヘッド２５が搭載されたキャリッジ２６を移動させる磁気ヘッド駆動モータ２７ｃも設けられている。なお、磁気ヘッド駆動モータ２７ｃは磁気ヘッド制御手段２０ｃによる制御信号に応じて、スクリューシャフト２７ａを回転させて、磁気ヘッド２５が搭載されたキャリッジ２６の移動速度・移動位置を制御する。また、磁気ヘッド２５によって読み取られた磁気ストライプ１２２のデータの信号はアンプ２０ｆで増幅されて制御手段２０ｇに送信される。なお、スクリューシャフト２７ａ及びガイドシャフト２７ｂの詳細については後述する。
【００４７】
さらに、搬送路２１の搬送面には、印字制御手段２０ｅに接続された印字部２８が設けられており、印字制御手段２０ｅの制御信号に応じて、搬送路２１を搬送される通帳１２０の中紙の所定の位置に対して取引履歴等を印字する。
【００４８】
次に、スクリューシャフト２７ａ及びガイドシャフト２７ｂ、並びに磁気ヘッド２５の動作について説明する。
図４及び図５は、第２の実施の形態に係る媒体処理装置の磁気ヘッドの動作を説明するための図である。なお、図４及び図５は、図３における処理機構２０ａの要部のみを記載したものであって、特に、シャフト２３ｂ，２４ｂ、スクリューシャフト２７ａ及びガイドシャフト２７ｂ近傍の拡大図である。
【００４９】
図４では、媒体処理装置２０に挿入された通帳１２０が、磁気ストライプ１２２の読み書き開始位置に磁気ヘッド２５がセットされて固定されている場合を示している。なお、磁気ストライプ１２２の当該開始位置にセットされた磁気ヘッド２５は、磁気ヘッド２５の処理面の搬出方向側の領域が、磁気ストライプ１２２の当該開始位置に接触している。
【００５０】
媒体処理装置２０の処理機構２０ａでは、スクリューシャフト２７ａ及びガイドシャフト２７ｂは、所定位置に固定された通帳１２０の磁気ストライプ１２２に対して所定角度傾斜して設置されている。
【００５１】
また、磁気ヘッド２５は、スクリューシャフト２７ａの回転に応じて、ガイドシャフト２７ｂに沿って、図５に示されるように、磁気ストライプ１２２の読み書き終了位置まで移動することができる。なお、この時、磁気ヘッド２５の処理面の搬入方向側の領域が磁気ストライプ１２２の当該終了位置に接触している。
【００５２】
なお、図５の状態から、スクリューシャフト２７ａの回転に応じて、磁気ヘッド２５は、ガイドシャフト２７ｂに沿って、図４に示される、磁気ストライプ１２２の当該開始位置まで再び戻される。
【００５３】
このような構成を有する媒体処理装置２０における磁気ストライプ１２２に対する磁気ヘッド２５による磁気処理について図３〜図５を参照して説明する。
まず、媒体処理装置２０において、中紙の所定頁を開いた状態の通帳１２０を通帳挿入／排出口１１から挿入する。挿入された通帳１２０が通帳検知部２２で検知されると、搬送駆動モータ２３ｃが駆動して、搬送ローラ２３ａ，２４ａが搬入方向に回転を開始して、通帳１２０は搬送路２１内に搬送される。
【００５４】
搬送された通帳１２０は、通帳１２０の表表紙１２１ａの磁気ストライプ１２２の読み書き開始位置に磁気ヘッド２５がセットされる位置まで搬送される。通帳１２０が当該位置まで搬送されると、搬送駆動モータ２３ｃの回転が停止して、搬送ローラ２３ａ，２４ａがロックされて、通帳１２０がその位置で固定される（図４を参照）。
【００５５】
次に、磁気ヘッド駆動モータ２７ｃが駆動して、磁気ヘッド２５は、スクリューシャフト２７ａの回転に応じて、ガイドシャフト２７ｂに沿ってキャリッジ２６と共にガイドされる。そして、磁気ヘッド２５は、磁気ストライプ１２２に対して長手方向と共に短手方向に相対的に、即ち、図４中、斜め右下方向に摺動を開始する。
【００５６】
磁気ヘッド２５は、ガイドシャフト２７ｂに沿って読み書き終了位置まで磁気ストライプ１２２を摺動する間に、磁気ストライプ１２２に対してデータの読み書きの磁気処理を実行する。例えば、磁気ヘッド２５で読み取られた磁気ストライプ１２２のデータ信号はアンプ２０ｆで増幅されて、制御手段２０ｇに送信される。
【００５７】
磁気ヘッド２５は、ガイドシャフト２７ｂに沿って図４中、斜め右下方向に、処理面全面を磁気ストライプ１２２に摺動させながら読み書き終了位置まで移動して、磁気ヘッド２５による所定の磁気処理が終了する（図５を参照）。
【００５８】
その後は、搬送駆動モータ２３ｃが駆動して、ロックが解除された搬送ローラ２３ａ，２４ａが搬出方向側に回転を開始すると、通帳１２０は搬送路２１を搬送されて、通帳挿入／排出口１１から排出される。また、磁気ヘッド２５は所定のタイミングで元の読み書き開始位置に再び移動する。
【００５９】
媒体処理装置２０では、ユーザの操作入力に応じて、通帳１２０が挿入されて、所定位置に搬送されるたびに上記の磁気ヘッド２５による磁気ストライプ１２２に対する磁気処理が繰り返し行われる。
【００６０】
このように、媒体処理装置２０では、内部の所定位置にセットされた通帳１２０の磁気ストライプ１２２に対して、スクリューシャフト２７ａ及びガイドシャフト２７ｂを所定角度傾斜して設置するようにした。
【００６１】
これにより、磁気ヘッド２５は、ガイドシャフト２７ｂに沿ってキャリッジ２６と共にガイドされる。そして、磁気ヘッド２５は、磁気ストライプ１２２に対して長手方向と共に短手方向に相対的に、即ち、図４中斜め右下方向に、読み書き終了位置まで磁気ストライプ１２２を摺動する。
【００６２】
この時、磁気ヘッド２５よりも幅の狭い磁気ストライプ１２２に対しても、磁気ヘッド２５の処理面が偏って磨耗せずに処理面全面が略均等に磨耗するため、磁気ストライプ１２２に対する接触領域の低下が防止される。したがって、磁気ストライプ１２２の磁気処理のエラーの発生時期を遅延させることができ、さらには、磁気ヘッド２５の使用寿命の短縮を抑制することができるようになる。
【００６３】
［第３の実施の形態］
次に、磁気ヘッドの磁気ストライプに対する別の摺動方法について説明する。
第３の実施の形態の自動処理装置に内蔵された媒体処理装置も通帳の磁気ストライプに対して、長手方向及び短手方向に相対的に磁気ヘッドを摺動させて、磁気ヘッドの処理面の全面を略均等に磨耗させることができるものである。
【００６４】
このような媒体処理装置は、第２の実施の形態と同様に、計測手段、磁気ヘッド制御手段、搬送制御手段、印字制御手段、アンプ及び制御手段を備え、磁気ヘッド制御手段、搬送制御手段及び印字制御手段は、計測手段及びアンプからの信号等に基づいて制御手段により制御される。
【００６５】
一方、媒体処理装置は、通帳挿入／排出口に対して挿入・排出される通帳１２０の磁気ストライプ１２２にデータの読み書きの磁気処理を実行する処理機構を新たに有する。
以下、媒体処理装置が有する当該処理機構について説明する。
【００６６】
図６及び図７は、第３の実施の形態に係る媒体処理装置の磁気ヘッドの動作を説明するための図である。なお、図６及び図７は、図４及び図５と同様に、処理機構２００ａの要部のみを記載したものであって、特に、シャフト２３ｂ，２４ｂ、スクリューシャフト２７０ａ及びガイドシャフト２７０ｂ近傍の拡大図である。また、今回記載を省略した構成については図３と同様である。
【００６７】
図６では、図４と同様に、媒体処理装置に挿入された通帳１２０が、磁気ストライプ１２２の読み書き開始位置に磁気ヘッド２５がセットされて固定されている場合を示している。なお、磁気ストライプ１２２の当該開始位置にセットされた磁気ヘッド２５は、磁気ヘッド２５の処理面の搬出方向側の領域が、磁気ストライプ１２２に接触している。
【００６８】
媒体処理装置の処理機構２００ａでは、スクリューシャフト２７０ａ及びガイドシャフト２７０ｂは、所定位置に固定された通帳１２０の磁気ストライプ１２２に対して平行になるように設置されている。したがって、磁気ヘッド２５は、キャリッジ２６と共に磁気ストライプ１２２の長手方向にのみ移動する。
【００６９】
次に、このような構成を有する媒体処理装置における磁気ストライプ１２２に対する磁気ヘッド２５による磁気処理について図７及び図８を参照して説明する。
なお、当該媒体処理装置における通帳１２０の搬送処理については第２の実施の形態と同様にして実行される。
【００７０】
処理機構２００ａに搬送された通帳１２０は、磁気ストライプ１２２の読み書き開始位置に磁気ヘッド２５がセットされる位置まで搬送され、搬送駆動モータの回転が停止して、搬送ローラ２３ａ，２４ａがロックされて、通帳１２０がその位置で固定される（図６を参照）。
【００７１】
そして、磁気ヘッド駆動モータが駆動して、磁気ヘッド２５は、スクリューシャフト２７０ａの回転に応じて、ガイドシャフト２７０ｂに沿ってキャリッジ２６と共に磁気ストライプ１２２の長手方向にガイドされて移動する。
【００７２】
さらに、この時、磁気ヘッド２５の移動と連動して、搬送駆動モータ２３ｃが駆動して、ロックされていた搬送ローラ２３ａ，２４ａが搬入方向に所定量回転して、通帳１２０を磁気ストライプ１２２の短手方向に所定量移動させる（図７を参照）。
【００７３】
なお、この時の通帳１２０は、磁気ヘッド２５が読み書き終了位置まで移動した際に、磁気ヘッド２５の処理面の搬入方向側の領域が当該終了位置に接触するような移動量で移動させられる。また、この移動量に対応する回転量に基づいて、搬送ローラ２３ａ，２４ａを回転させる。
【００７４】
このようにして磁気ヘッド２５は、磁気ストライプ１２２に対して長手方向と共に短手方向に相対的に摺動を開始する。
磁気ヘッド２５は、処理面全面を磁気ストライプ１２２に摺動させながら読み書き終了位置まで移動して、磁気ヘッド２５による所定の磁気処理が終了する（図７を参照）。
【００７５】
その後は、搬送駆動モータが駆動して、ロックが解除された搬送ローラ２３ａ，２４ａが搬出方向側に回転を開始して、通帳１２０は搬送路２１を搬送されて、通帳挿入／排出口１１から搬出される。また、磁気ヘッド２５も所定のタイミングで元の読み書き開始位置に再び移動させられる。
【００７６】
このように、媒体処理装置では、内部の所定位置にセットされた通帳１２０の磁気ストライプ１２２に対して、磁気ヘッド２５を磁気ストライプ１２２の長手方向に移動させると共に、通帳１２０を磁気ストライプ１２２の短手方向に所定量移動させるようにした。
【００７７】
これにより、磁気ヘッド２５は、磁気ストライプ１２２に対して長手方向と共に短手方向に相対的に、読み書き終了位置まで磁気ストライプ１２２を摺動する。
この時、磁気ヘッド２５よりも幅の狭い磁気ストライプ１２２に対しても、磁気ヘッド２５の処理面が偏って磨耗せずに処理面全面が略均等に磨耗するため、磁気ストライプ１２２に対する接触領域の低下が防止される。したがって、磁気ストライプ１２２の磁気処理のエラーの発生時期を遅延させることができ、さらには、磁気ヘッド２５の使用寿命の短縮を抑制することができるようになる。
【００７８】
上記については単に本発明の原理を示すものである。さらに、多数の変形、変更が当業者にとって可能であり、本発明は上記に示し、説明した正確な構成および応用例に限定されるものではなく、対応するすべての変形例および均等物は、添付の請求項及びその均等物による本発明の範囲とみなされる。
【符号の説明】
【００７９】
１  媒体
１ａ，１２２  磁気ストライプ
１ｂ，２５  磁気ヘッド
１ｂ１  リードコア
１ｂ２  ライトコア
１ｃ  処理面
１０  自動処理装置
１１  通帳挿入／排出口
１２  硬貨挿入／放出口
１３  カード挿入／排出口
１４  紙幣挿入／放出口
１５  タッチパネル
２０  媒体処理装置
２０ａ，２００ａ  処理機構
２０ｂ  計測手段
２０ｃ  磁気ヘッド制御手段
２０ｄ  搬送制御手段
２０ｅ  印字制御手段
２０ｆ  アンプ
２０ｇ  制御手段
２１  搬送路
２２  通帳検知部
２３ａ，２４ａ  搬送ローラ
２３ｂ，２４ｂ  シャフト
２３ｃ  搬送駆動モータ
２３ｄ，２４ｄ  プーリ
２４ｅ  搬送ベルト
２６  キャリッジ
２７ａ，２７０ａ  スクリューシャフト
２７ｂ，２７０ｂ  ガイドシャフト
２７ｃ  磁気ヘッド駆動モータ
２８  印字部
１２０  通帳
１２１ａ  表表紙
１２１ｂ  裏表紙
Ａ，Ｂ  矢印
【図１】
2011117991.tif 000003
【図２】
2011117991.tif 000004
【図３】
2011117991.tif 000005
【図４】
2011117991.tif 000006
【図５】
2011117991.tif 000007
【図６】
2011117991.tif 000008
【図７】
2011117991.tif 000009
【図８】
2011117991.tif 000010
【図９】
2011117991.tif 000011
【図１０】
2011117991.tif 000012
【国際調査報告】
2011117991.tif 000013
2011117991.tif 000014
2011117991.tif 000015